(57)【要約】【課題】本発明は、圧縮機発停時における冷媒回収運転を不要とすることにより、冷媒回収運転による過剰な冷却を防止するとともに消費電力の増加を抑制することが可能な冷凍装置を提供することを課題とする。【解決手段】本発明の冷凍装置は、圧縮機、凝縮器、液電磁弁、減圧装置、蒸発器を順次接続して形成された冷凍サイクル装置を備え、圧縮機を停止するとともに液電磁弁を閉とし、圧縮機を再起動させる際は、圧縮機を再起動後、所定時間経過後に液電磁弁を開とする制御装置を有する。【選択図】図４
2015175575.tif 000002
【特許請求の範囲】
【請求項１】
圧縮機、凝縮器、液電磁弁、減圧装置、蒸発器を順次接続して形成された冷凍サイクル装置を備えた冷凍装置において、
前記圧縮機を停止するとともに前記液電磁弁を閉とし、前記圧縮機を再起動させる際は、前記圧縮機を再起動させた後、所定時間経過後に前記液電磁弁を開とする制御装置
を有する冷凍装置。
【請求項２】
圧縮機、凝縮器、液電磁弁、減圧装置、蒸発器を順次接続して形成された冷凍サイクル装置を備えた冷凍装置において、
サーモオフ条件を満たすと、前記圧縮機を停止するとともに前記液電磁弁を閉とし、その後、サーモオン条件を満たして前記圧縮機を再起動させる際は、前記圧縮機を再起動させた後、所定時間経過後に前記液電磁弁を開とする制御装置
を有する冷凍装置。
【請求項３】
請求項１又は２において、前記制御装置は、前記圧縮機の再起動後、吸入過熱度が所定値以上となった場合に、前記液電磁弁を開とする冷凍装置。
【請求項４】
請求項１又は２において、前記制御装置は、前記圧縮機の再起動後、吸入圧力が所定値以下となった場合に、前記液電磁弁を開とする冷凍装置。
【発明の詳細な説明】
【技術分野】
【０００１】
本発明は冷凍庫等に用いられる冷凍装置に関する。
【背景技術】
【０００２】
従来技術では、液電磁弁を閉にすることによる吸入圧力の低下を低圧スイッチ等で検知し、冷媒回収が完了した後に圧縮機を停止している。その後の再起動時では、液電磁弁を開にすることによる吸入圧力の上昇を低圧スイッチ等で検知し、圧縮機を起動させている。
【０００３】
このように、従来の技術では、冷凍装置での冷却過剰により圧縮機を停止させる場合、直ぐには圧縮機を停止せずに、まず、液電磁弁を閉とし、低圧機器内の残留冷媒を冷凍装置内（受液器他）に回収し、その後、吸入圧力の低下により圧縮機を停止させる所謂「冷媒回収停止運転」が一般的である。このような「冷媒回収停止運転」は、再起動時の液バックによる圧縮機の故障等を防止することができる。
【０００４】
しかしながら、「冷媒回収停止運転」により圧縮機を遅延して停止させることは、サーモオフ条件も満たすにもかかわらず、庫内をさらに過剰に冷却することになる。また、電力消費効率の悪い低い吸入圧力（蒸発温度）領域で運転させることで、著しい消費電力の増加や冷却器の過大な着霜を生じさせる。
【０００５】
特に、インバータや圧縮機台数制御等の運転容量制御手段を有しない定速圧縮機の場合は圧縮機の発停が多いので、上述したような課題が顕著となる。
【先行技術文献】
【特許文献】
【０００６】
【特許文献１】特開平７−３３２７７５号公報（図１，３）
【発明の概要】
【発明が解決しようとする課題】
【０００７】
本発明は、圧縮機発停時における冷媒回収運転を不要とすることにより、冷媒回収運転による過剰な冷却を防止するとともに消費電力の増加を抑制することが可能な冷凍装置を提供することを課題とする。
【課題を解決するための手段】
【０００８】
本発明の冷凍装置は、圧縮機、凝縮器、液電磁弁、減圧装置、蒸発器を順次接続して形成された冷凍サイクル装置を備え、圧縮機を停止するとともに液電磁弁を閉とし、圧縮機を再起動させる際は、圧縮機を再起動させた後、所定時間経過後に液電磁弁を開とする制御装置を有する。
【発明の効果】
【０００９】
本発明の冷凍装置によれば、圧縮機発停時における冷媒回収運転を不要とすることができるので、冷媒回収運転による過剰な冷却を防止するとともに消費電力の増加を抑制することができる。
【図面の簡単な説明】
【００１０】
【図１】従来技術の冷凍サイクル装置の冷媒回路図
【図２】本実施例における冷凍サイクル装置の冷媒回路図
【図３】従来技術の冷凍サイクル装置の制御タイムチャート
【図４】本実施例における冷凍サイクル装置の制御タイムチャート
【発明を実施するための形態】
【００１１】
本実施例の冷凍装置は、圧縮機、凝縮器、液電磁弁、減圧装置、蒸発器を順次接続して形成された冷凍サイクル装置を備え、圧縮機を停止するとともに液電磁弁を閉とし、圧縮機を再起動させる際は、圧縮機を再起動させた後、所定時間経過後に液電磁弁を開とする制御装置を有する。本実施例の冷凍装置によれば、圧縮機発停時における冷媒回収運転を不要とすることができるので、冷媒回収運転による過剰な冷却を防止するとともに消費電力の増加を抑制することができる。
【００１２】
以下、本実施例の詳細について図面を用いて説明する。
【００１３】
図２は本実施例による冷凍装置の冷凍サイクル装置の冷媒回路を示す図である。冷凍装置１は、基本的な冷凍サイクル回路である圧縮機２、凝縮器３、液電磁弁２２、膨張弁２３、冷却器２６を備える。また、吸入ガス温度サーミスタ３１、低圧センサ３２を備える。
【００１４】
図４は本実施例による冷凍サイクル装置の制御タイムチャートであり、冷凍サイクル装置の運転制御動作を示す。
【００１５】
尚、図１は従来技術の冷凍サイクル装置の冷媒回路を示す図であり、図３は従来技術の冷凍サイクル装置の制御タイムチャートである。
【００１６】
図１において、圧縮機２で圧縮吐出された冷媒は高圧高温のガス冷媒となり、凝縮器３で周囲空気と熱交換され凝縮液化する。液化した冷媒は受液器４に集められて気液分離され、液冷媒のみが受液器４から排出される。受液器４から排出された液冷媒は液出口阻止弁５、ドライヤ６、サイトグラス７の補助機器を経由して冷却器２６等の低圧機器へ送られる。冷却器２６へ送られた液冷媒は、庫内温度サーモスタット２５に連動した液電磁弁２２の開閉動作により、膨張弁２３で流量調整される。その後、冷却器２６内に供給された液冷媒が蒸発することで庫内が冷却される。冷却器２６で蒸発しガス化したガス冷媒は、液分離器９、吸入阻止弁１０を経由して圧縮機２へ吸入される。
【００１７】
図1及び図３の従来技術においては、冷却過剰となり庫内温度が低下した場合（サーモオフ条件を満たす場合）、庫内温度サーモスタット２５によりこれを検知し、液電磁弁２２を閉とする。このとき、圧縮機２が運転し続けることにより、冷却器２６内に残った冷媒が回収されるとともに徐々に吸入圧力が低下し、その後、低圧スイッチ８により、液電磁弁２２の閉から遅れて圧縮機２が停止する（冷媒回収運転）。時間経過により庫内温度が上昇すると（サーモオン条件を満たすと）、庫内温度サーモスタット２５により液電磁弁２２が開となり、吸入圧力の上昇を低圧スイッチ８が検知し、圧縮機２が再起動する。しかしながら、このような、冷媒回収運転においては、サーモオフ条件を満たした後も圧縮機を運転し続けることになるので、庫内をさらに過剰に冷却することになり、消費電力を増加させたり不要な着霜を生じさせる。
【００１８】
図２及び図４に示すように、本実施例の冷凍装置においては、吸入圧力の検知に低圧センサ３２、吸入ガス温度の検知に吸入ガス温度サーミスタ３１を装備し、これらを制御基板で演算し吸入ガス過熱度を算出する。冷却過剰となり庫内温度が低下した場合（サーモオフ条件を満たした場合）、庫内温度サーモスタット２５によりこれを検知し、液電磁弁２２を閉とする。さらに、液電磁弁２２の閉と同期させて（連動させて）圧縮機２を停止させる（冷媒回収運転は実施しない）。その後、時間経過により庫内温度が上昇すると（サーモオン運転の条件を満たすと）、庫内温度サーモスタット２５により圧縮機２を再起動させる。
【００１９】
このとき、圧縮機２の再起動に合わせて液電磁弁２２を同時に開とすると、停止中に冷却器８内に残留していた冷媒が圧縮機に吸入され（液バック）、圧縮機２が故障する可能性がある。そこで、本実施例の冷凍機においては、圧縮機２の再起動後も液電磁弁２２の閉状態を継続させる。これにより残留していた冷媒が徐々に圧縮機２に吸入されるので、液バックが軽減される。また、冷媒回収運転を実施しなしので、サーモオフ条件を満たした後の圧縮機の運転が不要となり、庫内の過剰な冷却を回避できるので、消費電力の増加や不要な着霜を抑制することができる。
【００２０】
尚、圧縮機２の再起動時に液電磁弁２２の開を遅延させるが、この液電磁弁２２停止の遅延時間が長すぎる場合、冷却不良や吸入圧力低下による低圧カット停止に至る可能性があるため、適切な管理が必要となる。そこで、本実施例においては、液電磁弁２２停止の状態を解除する（液電磁弁２２を閉→開とする）判断基準として、吸入過熱度の上昇、又は、吸入圧力の低下等の情報を用いて遅延制御を解除し、液電磁弁２２を開とする。
【００２１】
以上説明したように、本実施例の冷凍装置によれば、圧縮機２の冷媒回収運転に伴う過剰な電力消費や着霜を低減でき、冷媒回収せずに停止して再起動した場合の液バックによる圧縮機２故障や冷却不良を防止することもできる。
【符号の説明】
【００２２】
１…冷凍装置、２…圧縮機、３…凝縮器、４…受液器、５…液出口阻止弁、６…ドライヤ、７…サイトグラス、８…低圧スイッチ、９…液分離器、１０…吸入阻止弁、２１…冷凍庫等、２２…液電磁弁、２３…膨張弁、２５…庫内温度サーモスタット、２６…冷却器、３１…吸入ガス温度サーミスタ、３２…低圧センサ
【図１】
2015175575.tif 000003
【図２】
2015175575.tif 000004
【図３】
2015175575.tif 000005
【図４】
2015175575.tif 000006